(57)【要約】【課題】携帯端末装置の位置情報の内容を他の装置の操作者が容易に把握でき、且つ、前記他の装置の操作者が当該位置情報に関連する状態情報も取得できる位置情報管理システム等を提供すること。【解決手段】前記携帯端末装置１００（Ａ）の位置情報取得手段１１０で取得した位置情報との関連で地理的領域情報を生成し、標識を付する地理的領域情報生成手段２１０と、前記地理的領域情報を格納する地理的領域情報格納手段２５０と、前記地理的領域情報に関連する状態情報を生成する状態情報生成手段２２０と、前記状態情報を格納する状態情報格納手段２５０と、他の装置１００（Ａ）からの問い合わせ情報に基づいて、前記携帯端末装置の位置情報と地理的領域情報及び状態情報を、前記地理的情報格納手段及び状態情報格納手段から、それぞれ抽出する問い合わせ情報処理手段２００ｃと、を有する位置情報管理システム１０。【選択図】　図６
2004128955.tif 000002
【特許請求の範囲】
【請求項１】
位置情報取得手段を備える携帯端末装置と、
携帯端末装置を管理するための携帯管理装置と、を有する位置情報管理システムであって、
前記携帯管理装置は、前記携帯端末装置の位置情報取得手段で取得した位置情報との関連で地理的領域情報を生成し、標識を付する地理的領域情報生成手段と、
前記地理的領域情報生成手段で生成した前記地理的領域情報を格納する地理的領域情報格納手段と、
前記地理的領域情報に関連する状態情報を生成する状態情報生成手段と、
前記状態情報生成手段で生成された状態情報を格納する状態情報格納手段と、
前記携帯端末装置と異なる他の装置からの前記携帯端末装置に関する問い合わせ情報に基づいて、前記携帯端末装置の位置情報を取得し、この位置情報と関連する当該地理的領域情報及びこの地理的領域情報に関連する状態情報を、前記地理的情報格納手段及び状態情報格納手段から、それぞれ抽出する問い合わせ情報処理手段と、
前記他の装置からの前記問い合わせ情報を受信し、前記問い合わせ情報処理手段で抽出した当該地理的領域情報及びこの地理的領域情報に関連する状態情報を前記他の装置へ発信する情報送受信手段と、を有することを特徴とする位置情報管理システム。
【請求項２】
前記携帯管理装置には、前記携帯端末装置及び前記他の装置と電子メールで交信するための電子メール生成手段を有することを特徴とする請求項１に記載の位置情報管理システム。
【請求項３】
携帯端末装置の位置情報取得手段で取得した位置情報との関連で地理的領域情報を生成し、標識を付する地理的領域情報生成手段と、
前記地理的領域情報生成手段で生成した前記地理的領域情報を格納する地理的領域情報格納手段と、
前記地理的領域情報に関連する状態情報を生成する状態情報生成手段と、
前記状態状態生成手段で生成された状態情報を格納する状態情報格納手段と、
前記携帯端末装置と異なる他の装置からの前記携帯端末装置に関する問い合わせ情報に基づいて、前記携帯端末装置の位置情報を取得し、この位置情報と関連する当該地理的領域情報及びこの地理的領域情報に関連する状態情報を、前記地理的情報格納手段及び状態情報格納手段から、それぞれ抽出する問い合わせ情報処理手段と、
前記他の装置からの前記問い合わせ情報を受信し、前記問い合わせ情報処理手段で抽出した当該地理的領域情報及びこの地理的領域情報に関連する状態情報を前記他の装置へ発信する情報送受信手段と、を有することを特徴とする位置情報管理装置。
【請求項４】
位置情報取得手段と、
前記位置情報取得手段で取得した位置情報との関連で地理的領域情報を生成し、標識を付する地理的領域情報生成手段と、
前記地理的領域情報生成手段で生成した前記地理的領域情報を格納する地理的領域情報格納手段と、
前記地理的領域情報に関連する状態情報を生成する状態情報生成手段と、
前記状態状態生成手段で生成された状態情報を格納する状態情報格納手段と、
他の装置からの前記携帯端末装置に関する問い合わせ情報に基づいて、前記携帯端末装置の位置情報を取得し、この位置情報と関連する当該地理的領域情報及びこの地理的領域情報に関連する状態情報を、前記地理的情報格納手段及び状態情報格納手段から、それぞれ抽出する問い合わせ情報処理手段と、
前記他の装置からの前記問い合わせ情報を受信し、前記問い合わせ情報処理手段で抽出した当該地理的領域情報及びこの地理的領域情報に関連する状態情報を前記他の装置へ発信する情報送受信手段と、を有することを特徴とする携帯端末装置。
【請求項５】
携帯端末装置が位置情報取得手段で位置情報を取得する位置情報取得工程と、
前記取得された位置情報を携帯管理装置へ送信する位置情報送信工程と、
前記携帯管理装置の地理的領域情報生成手段が受信した前記位置情報との関連で地理的領域情報を生成し、標識を付する地理的領域情報生成工程と、
前記携帯管理装置の地理的領域情報格納手段が、前記地理的領域情報生成工程で生成した前記地理的領域情報を格納する地理的領域情報格納工程と、
前記携帯管理装置の状態情報生成手段が、前記地理的領域情報格納工程で格納された前記地理的領域情報に関連する状態情報を生成する状態情報生成工程と、
前記携帯管理装置の状態情報格納手段が、前記状態情報生成工程で生成された前記状態情報を格納する状態情報格納工程と、
前記携帯管理装置の情報送受信手段が、前記携帯端末装置と異なる他の装置からの前記携帯端末装置に関する問い合わせ情報を受信する問い合わせ情報受信工程と、
前記携帯管理装置の問い合わせ情報処理手段が、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出する問い合わせ情報処理工程と、
前記携帯管理装置の前記情報送受信手段が、前記問い合わせ情報処理工程で抽出された前記地理的情報格納手段及び前記状態情報を前記他の装置に送信する情報送信工程と、を有することを特徴とする位置情報管理方法。
【請求項６】
携帯端末装置の位置情報取得手段で取得された位置情報を受信し、前記位置情報との関連で地理的領域情報を生成し、標識を付する地理的領域情報生成工程と、
前記携帯管理装置の地理的領域情報格納手段が、前記地理的領域情報生成工程で生成した前記地理的領域情報を格納する地理的領域情報格納工程と、
前記携帯管理装置の状態情報生成手段が、前記地理的領域情報格納工程で格納された前記地理的領域情報に関連する状態情報を生成する状態情報生成工程と、
前記携帯管理装置の状態情報格納手段が、前記状態情報生成工程で生成された前記状態情報を格納する状態情報格納工程と、
前記携帯管理装置の情報送受信手段が、前記携帯端末装置と異なる他の装置からの前記携帯端末装置に関する問い合わせ情報を受信する問い合わせ情報受信工程と、
前記携帯管理装置の問い合わせ情報処理手段が、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出する問い合わせ情報処理工程と、
前記携帯管理装置の前記情報送受信手段が、前記問い合わせ情報処理工程で抽出された前記地理的情報格納手段及び前記状態情報を前記他の装置に送信する情報送信工程と、を有することを特徴とする位置情報管理装置の制御方法。
【請求項７】
携帯端末装置が位置情報取得手段で位置情報を取得する位置情報取得工程と、
携帯端末装置の地理的領域情報生成手段は位置情報手段で取得した前記位置情報との関連で地理的領域情報を生成し、標識を付する地理的領域情報生成工程と、
携帯端末装置の地理的領域情報格納手段が、前記地理的領域情報生成工程で生成した前記地理的領域情報を格納する地理的領域情報格納工程と、
携帯端末装置の状態情報生成手段が、前記地理的領域情報格納工程で格納された前記地理的領域情報に関連する状態情報を生成する状態情報生成工程と、
携帯端末装置の状態情報格納手段が、前記状態情報生成工程で生成された前記状態情報を格納する状態情報格納工程と、
携帯端末装置の情報送受信手段が、他の装置からの前記携帯端末装置に関する問い合わせ情報を受信する問い合わせ情報受信工程と、
携帯端末装置の問い合わせ情報処理手段が、前記情報受信工程の問い合わせ情報に基づいて、前記携帯端末装置の位置情報を取得し、この位置情報と関連する当該地理的領域情報及びこの地理的領域情報に関連する前記状態情報を、前記地理的情報格納手段及び前記状態情報格納手段から、それぞれ抽出する問い合わせ情報処理工程と、
前記情報送受信手段が、前記問い合わせ情報処理工程で抽出された前記地理的情報格納手段及び前記状態情報を前記他の装置に送信する情報送信工程と、を有することを特徴とする携帯端末装置の制御方法。
【請求項８】
コンピュータに、携帯端末装置の位置情報取得手段で位置情報を取得させる位置情報取得工程と、
前記取得された位置情報を携帯管理装置へ送信させる位置情報送信工程と、
前記携帯管理装置の地理的領域情報生成手段に受信した前記位置情報との関連で地理的領域情報を生成し、標識を付する地理的領域情報生成工程と、
前記携帯管理装置の地理的領域情報格納手段に、前記地理的領域情報生成工程で生成した前記地理的領域情報を格納させる地理的領域情報格納工程と、
前記携帯管理装置の状態情報生成手段に、前記地理的領域情報格納工程で格納された前記地理的領域情報に関連する状態情報を生成させる状態情報生成工程と、
前記携帯管理装置の状態情報格納手段に、前記状態情報生成工程で生成された前記状態情報を格納させる状態情報格納工程と、
前記携帯管理装置の情報送受信手段に、前記携帯端末装置と異なる他の装置からの前記携帯端末装置に関する問い合わせ情報を受信させる問い合わせ情報受信工程と、
前記携帯管理装置の問い合わせ情報処理手段に、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出させる問い合わせ情報処理工程と、
前記携帯管理装置の前記情報送受信手段に、前記問い合わせ情報処理工程で抽出された前記地理的情報格納手段及び前記状態情報を前記他の装置に送信させる情報送信工程と、を実行させるための位置情報管理プログラム。
【請求項９】
コンピュータに、携帯端末装置の位置情報取得手段で取得された位置情報を受信させ、前記位置情報との関連で地理的領域情報を生成し、標識を付する地理的領域情報生成工程と、
前記携帯管理装置の地理的領域情報格納手段に、前記地理的領域情報生成工程で生成した前記地理的領域情報を格納させる地理的領域情報格納工程と、
前記携帯管理装置の状態情報生成手段に、前記地理的領域情報格納工程で格納された前記地理的領域情報に関連する状態情報を生成させる状態情報生成工程と、
前記携帯管理装置の状態情報格納手段に、前記状態情報生成工程で生成された前記状態情報を格納させる状態情報格納工程と、
前記携帯管理装置の情報送受信手段に、前記携帯端末装置と異なる他の装置からの前記携帯端末装置に関する問い合わせ情報を受信させる問い合わせ情報受信工程と、
前記携帯管理装置の問い合わせ情報処理手段に、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出させる問い合わせ情報処理工程と、
前記携帯管理装置の前記情報送受信手段に、前記問い合わせ情報処理工程で抽出された前記地理的情報格納手段及び前記状態情報を前記他の装置に送信させる情報送信工程と、を実行させるための位置情報管理装置の制御プログラム。
【請求項１０】
コンピュータに、携帯端末装置の位置情報取得手段に位置情報を取得させる位置情報取得工程と、
携帯端末装置の地理的領域情報生成手段に、位置情報手段で取得した前記位置情報との関連で地理的領域情報を生成し、標識を付する地理的領域情報生成工程と、
携帯端末装置の地理的領域情報格納手段に、前記地理的領域情報生成工程で生成した前記地理的領域情報を格納させる地理的領域情報格納工程と、
携帯端末装置の状態情報生成手段に、前記地理的領域情報格納工程で格納された前記地理的領域情報に関連する状態情報を生成させる状態情報生成工程と、
携帯端末装置の状態情報格納手段に、前記状態情報生成工程で生成された前記状態情報を格納させる状態情報格納工程と、
携帯端末装置の情報送受信手段に、他の装置からの前記携帯端末装置に関する問い合わせ情報を受信させる問い合わせ情報受信工程と、
携帯端末装置の問い合わせ情報処理手段に、前記情報受信工程の問い合わせ情報に基づいて、前記携帯端末装置の位置情報を取得し、この位置情報と関連する当該地理的領域情報及びこの地理的領域情報に関連する前記状態情報を、前記地理的情報格納手段及び前記状態情報格納手段から、それぞれ抽出させる問い合わせ情報処理工程と、
前記情報送受信手段に、前記問い合わせ情報処理工程で抽出された前記地理的情報格納手段及び前記状態情報を前記他の装置に送信させる情報送信工程と、を実行させるための携帯端末装置の制御プログラム。
【請求項１１】
コンピュータに、携帯端末装置の位置情報取得手段で位置情報を取得させる位置情報取得工程と、
前記取得された位置情報を携帯管理装置へ送信させる位置情報送信工程と、
前記携帯管理装置の地理的領域情報生成手段に受信した前記位置情報との関連で地理的領域情報を生成し、標識を付する地理的領域情報生成工程と、
前記携帯管理装置の地理的領域情報格納手段に、前記地理的領域情報生成工程で生成した前記地理的領域情報を格納させる地理的領域情報格納工程と、
前記携帯管理装置の状態情報生成手段に、前記地理的領域情報格納工程で格納された前記地理的領域情報に関連する状態情報を生成させる状態情報生成工程と、
前記携帯管理装置の状態情報格納手段に、前記状態情報生成工程で生成された前記状態情報を格納させる状態情報格納工程と、
前記携帯管理装置の情報送受信手段に、前記携帯端末装置と異なる他の装置からの前記携帯端末装置に関する問い合わせ情報を受信させる問い合わせ情報受信工程と、
前記携帯管理装置の問い合わせ情報処理手段に、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出させる問い合わせ情報処理工程と、
前記携帯管理装置の前記情報送受信手段に、前記問い合わせ情報処理工程で抽出された前記地理的情報格納手段及び前記状態情報を前記他の装置に送信させる情報送信工程と、を実行させるための位置情報管理プログラムを記録したコンピュータ読み取り可能な記録媒体。
【請求項１２】
コンピュータに、携帯端末装置の位置情報取得手段で取得された位置情報を受信させ、前記位置情報との関連で地理的領域情報を生成し、標識を付する地理的領域情報生成工程と、
前記携帯管理装置の地理的領域情報格納手段に、前記地理的領域情報生成工程で生成した前記地理的領域情報を格納させる地理的領域情報格納工程と、
前記携帯管理装置の状態情報生成手段に、前記地理的領域情報格納工程で格納された前記地理的領域情報に関連する状態情報を生成させる状態情報生成工程と、
前記携帯管理装置の状態情報格納手段に、前記状態情報生成工程で生成された前記状態情報を格納させる状態情報格納工程と、
前記携帯管理装置の情報送受信手段に、前記携帯端末装置と異なる他の装置からの前記携帯端末装置に関する問い合わせ情報を受信させる問い合わせ情報受信工程と、
前記携帯管理装置の問い合わせ情報処理手段に、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出させる問い合わせ情報処理工程と、
前記携帯管理装置の前記情報送受信手段に、前記問い合わせ情報処理工程で抽出された前記地理的情報格納手段及び前記状態情報を前記他の装置に送信させる情報送信工程と、を実行させるための位置情報管理装置の制御プログラムを記録したコンピュータ読み取り可能な記録媒体。
【請求項１３】
コンピュータに、携帯端末装置の位置情報取得手段に位置情報を取得させる位置情報取得工程と、
携帯端末装置の地理的領域情報生成手段に、位置情報手段で取得した前記位置情報との関連で地理的領域情報を生成し、標識を付する地理的領域情報生成工程と、
携帯端末装置の地理的領域情報格納手段に、前記地理的領域情報生成工程で生成した前記地理的領域情報を格納させる地理的領域情報格納工程と、
携帯端末装置の状態情報生成手段に、前記地理的領域情報格納工程で格納された前記地理的領域情報に関連する状態情報を生成させる状態情報生成工程と、
携帯端末装置の状態情報格納手段に、前記状態情報生成工程で生成された前記状態情報を格納させる状態情報格納工程と、
携帯端末装置の情報送受信手段に、他の装置からの前記携帯端末装置に関する問い合わせ情報を受信させる問い合わせ情報受信工程と、
携帯端末装置の問い合わせ情報処理手段に、前記情報受信工程の問い合わせ情報に基づいて、前記携帯端末装置の位置情報を取得し、この位置情報と関連する当該地理的領域情報及びこの地理的領域情報に関連する前記状態情報を、前記地理的情報格納手段及び前記状態情報格納手段から、それぞれ抽出させる問い合わせ情報処理工程と、
前記情報送受信手段に、前記問い合わせ情報処理工程で抽出された前記地理的情報格納手段及び前記状態情報を前記他の装置に送信させる情報送信工程と、を実行させるための携帯端末装置の制御プログラムを記録したコンピュータ読み取り可能な記録媒体。
【発明の詳細な説明】
【０００１】
【発明の属する技術分野】
本発明は、携帯端末装置の位置を携帯管理装置で管理するため位置情報管理システム、位置情報管理装置、携帯端末装置、位置情報管理方法、位置情報管理装置の制御方法、携帯端末装置の制御方法、位置情報管理プログラム、位置情報管理装置の制御プログラム、携帯端末装置の制御プログラム、位置情報管理プログラムを記録したコンピュータ読み取り可能な記録媒体、位置情報管理装置の制御プログラムを記録したコンピュータ読み取り可能な記録媒体、携帯端末装置の制御プログラムを記録したコンピュータ読み取り可能な記録媒体に関するものである。
【０００２】
【従来の技術】
ＧＰＳ（Ｇｌｏｂａｌ　Ｐｏｓｉｔｉｏｎｉｎｇ　Ｓｙｓｔｅｍ）等を備えた携帯電話では、その携帯電話の位置情報を緯度及び経度の情報として取得することができる（例えば、特許文献１参照）。
そのため、携帯電話の所持者が本人の前記位置情報を、電子メール等で友人等の携帯電話に送信することができる。
【０００３】
【特許文献１】
特開２００１−３３１６６０号公報
【０００４】
【発明が解決しようとする課題】
しかし、このように電子メール等で送信された前記携帯電話の位置情報は、緯度及び経度情報であったり、住所等の情報であったりするので、かかる位置情報を受信した前記友人等にとっては、その位置を直ちに認識できなかった。
このため、前記友人等は前記受信した位置情報に基づいて地図等を参照して初めて、その位置を認識できるため、位置の把握が困難であるという問題があった。
また、位置を把握できた前記友人が自分の携帯電話で、その位置情報を送信してきた本人に電話等するとき、相手方の状態、例えば仕事中なのか、休憩中なのかが分からないため、連絡等を取り難いといった問題もあった。
【０００５】
本発明は、以上の点に鑑み、携帯端末装置の位置情報の内容を他の装置の操作者が容易に把握でき、且つ、前記他の装置の操作者が当該位置情報に関連する状態情報も取得できる位置情報管理システム、位置情報管理装置、携帯端末装置、位置情報管理方法、位置情報管理装置の制御方法、携帯端末装置の制御方法、位置情報管理プログラム、位置情報管理装置の制御プログラム、携帯端末装置の制御プログラム、位置情報管理プログラムを記録したコンピュータ読み取り可能な記録媒体、位置情報管理装置の制御プログラムを記録したコンピュータ読み取り可能な記録媒体、携帯端末装置の制御プログラムを記録したコンピュータ読み取り可能な記録媒体を提供することを目的とする。
【０００６】
【課題を解決するための手段】
前記目的は、本発明によれば、位置情報取得手段を備える携帯端末装置と、　携帯端末装置を管理するための携帯管理装置と、を有する位置情報管理システムであって、前記携帯管理装置は、前記携帯端末装置の位置情報取得手段で取得した位置情報との関連で地理的領域情報を生成し、標識を付する地理的領域情報生成手段と、前記地理的領域情報生成手段で生成した前記地理的領域情報を格納する地理的領域情報格納手段と、前記地理的領域情報に関連する状態情報を生成する状態情報生成手段と、前記状態情報生成手段で生成された状態情報を格納する状態情報格納手段と、前記携帯端末装置と異なる他の装置からの前記携帯端末装置に関する問い合わせ情報に基づいて、前記携帯端末装置の位置情報を取得し、この位置情報と関連する当該地理的領域情報及びこの地理的領域情報に関連する状態情報を、前記地理的情報格納手段及び状態情報格納手段から、それぞれ抽出する問い合わせ情報処理手段と、前記他の装置からの前記問い合わせ情報を受信し、前記問い合わせ情報処理手段で抽出した当該地理的領域情報及びこの地理的領域情報に関連する状態情報を前記他の装置へ発信する情報送受信手段と、を有することを特徴とする位置情報管理システムにより達成される。
【０００７】
前記目的は、本発明によれば、携帯端末装置の位置情報取得手段で取得した位置情報との関連で地理的領域情報を生成し、標識を付する地理的領域情報生成手段と、前記地理的領域情報生成手段で生成した前記地理的領域情報を格納する地理的領域情報格納手段と、前記地理的領域情報に関連する状態情報を生成する状態情報生成手段と、前記状態状態生成手段で生成された状態情報を格納する状態情報格納手段と、前記携帯端末装置と異なる他の装置からの前記携帯端末装置に関する問い合わせ情報に基づいて、前記携帯端末装置の位置情報を取得し、この位置情報と関連する当該地理的領域情報及びこの地理的領域情報に関連する状態情報を、前記地理的情報格納手段及び状態情報格納手段から、それぞれ抽出する問い合わせ情報処理手段と、前記他の装置からの前記問い合わせ情報を受信し、前記問い合わせ情報処理手段で抽出した当該地理的領域情報及びこの地理的領域情報に関連する状態情報を前記他の装置へ発信する情報送受信手段と、を有することを特徴とする位置情報管理装置により達成される。
【０００８】
前記目的は、本発明によれば、位置情報取得手段と、前記位置情報取得手段で取得した位置情報との関連で地理的領域情報を生成し、標識を付する地理的領域情報生成手段と、前記地理的領域情報生成手段で生成した前記地理的領域情報を格納する地理的領域情報格納手段と、前記地理的領域情報に関連する状態情報を生成する状態情報生成手段と、前記状態状態生成手段で生成された状態情報を格納する状態情報格納手段と、他の装置からの前記携帯端末装置に関する問い合わせ情報に基づいて、前記携帯端末装置の位置情報を取得し、この位置情報と関連する当該地理的領域情報及びこの地理的領域情報に関連する状態情報を、前記地理的情報格納手段及び状態情報格納手段から、それぞれ抽出する問い合わせ情報処理手段と、前記他の装置からの前記問い合わせ情報を受信し、前記問い合わせ情報処理手段で抽出した当該地理的領域情報及びこの地理的領域情報に関連する状態情報を前記他の装置へ発信する情報送受信手段と、を有することを特徴とする携帯端末装置により達成される。
【０００９】
前記各構成によれば、前記位置情報管理システムの携帯管理装置は、前記携帯端末装置の位置情報取得手段で取得した位置情報との関連で地理的領域情報を生成し、標識を付する地理的領域情報生成手段とを有している。
また、前記位置情報管理装置は、携帯端末装置の位置情報取得手段で取得した位置情報との関連で地理的領域情報を生成し、標識を付する地理的領域情報生成手段を有している。
さらに、前記携帯端末装置は、位置情報取得手段と、前記位置情報取得手段で取得した位置情報との関連で地理的領域情報を生成し、標識を付する地理的領域情報生成手段とを有している。
すなわち、前記携帯端末装置からの前記位置情報が緯度及び経度等の数字情報であっても、その数字情報等との関連で一定の広がり、例えば特定の緯度及び経度を中心とした一定の半径内等のある前記地理的領域情報が生成され標識、例えば「会社」等が付される。
【００１０】
また、前記位置情報管理システムは、前記地理的領域情報に関連する状態情報を生成する状態情報生成手段と前記状態情報生成手段で生成された状態情報を格納する状態情報格納手段とを有している。
もしくは、前記位置情報管理装置及び前記携帯端末装置は、地理的領域情報に関連する状態情報を生成する状態情報生成手段を有している。
すなわち、前記地理的領域情報である例えば「会社」等に関連する前記状態情報として例えば「仕事中」等の状態情報が生成される。
【００１１】
また、前記位置情報管理システムは、前記携帯端末装置と異なる他の装置からの前記携帯端末装置に関する問い合わせ情報に基づいて、前記携帯端末装置の位置情報を取得し、この位置情報と関連する当該地理的領域情報及びこの地理的領域情報に関連する状態情報を、前記地理的情報格納手段及び状態情報格納手段から、それぞれ抽出する問い合わせ情報処理手段を有している。
さらに、前記位置情報管理装置は、前記携帯端末装置と異なる他の装置からの前記携帯端末装置に関する問い合わせ情報に基づいて、前記携帯端末装置の位置情報を取得し、この位置情報と関連する当該地理的領域情報及びこの地理的領域情報に関連する状態情報を、前記地理的情報格納手段及び状態情報格納手段から、それぞれ抽出する問い合わせ情報処理手段とを有する。
そして、前記携帯端末装置は、他の装置からの前記携帯端末装置に関する問い合わせ情報に基づいて、前記携帯端末装置の位置情報を取得し、この位置情報と関連する当該地理的領域情報及びこの地理的領域情報に関連する状態情報を、前記地理的情報格納手段及び状態情報格納手段から、それぞれ抽出する問い合わせ情報処理手段を有している。
【００１２】
すなわち、前記問い合わせ情報処理手段は、他の装置を操作する者から前記携帯端末装置に関する問い合わせ情報が前記携帯管理装置に入力されると、前記携帯端末装置の位置情報を取得し、この位置情報と関連する当該地理的領域情報である例えば「会社」等及び前記状態情報「仕事中」等を前記地理的情報格納手段及び状態情報格納手段から抽出する。
【００１３】
また、前記位置情報管理システム及び前記位置情報管理装置は、前記他の装置からの前記問い合わせ情報を受信し、前記問い合わせ情報処理手段で抽出した当該地理的領域情報及びこの地理的領域情報に関連する状態情報を前記他の装置へ発信する情報送受信手段とを有している。
さらに、前記携帯端末装置は、前記他の装置からの前記問い合わせ情報を受信し、前記問い合わせ情報処理手段で抽出した当該地理的領域情報及びこの地理的領域情報に関連する状態情報を携帯端末装置が前記他の装置へ発信する情報送受信手段を有する。
【００１４】
このため、前記問い合わせ情報処理手段で抽出された前記地理的領域情報である例えば「会社」等及び前記状態情報である例えば「仕事中」等は、前記情報送受信手段で、問い合わせをした前記他の装置に発信される。
したがって、前記他の装置で、前記地理的領域情報である例えば「会社」等及び前記状態情報「仕事中」等に接した他の装置の利用者は、前記携帯端末装置がが「会社」等に存することを直ちに認識することができ、当該位置の名称を認識するために、地図等を参照する必要がない。
また、前記地理的領域情報と共に前記状態状態である「仕事中」等に接した他の装置の利用者は、前記携帯端末装置の操作者の状況を直ちに把握することができ、例えば電話等の連絡をすべき状況か否かについて正確に判断することができる。
【００１５】
さらに、前記携帯端末装置のみの場合は、前記位置情報管理システム及び前記位置情報管理装置と異なり、前記他の装置に当該地理的領域情報及びこの地理的領域情報に関連する状態情報を、前記携帯端末装置が自ら発信し、前記他の装置からの問い合わせ情報を受信する。このため、前記他の装置は直接、前記携帯端末装置に問い合わせをすることができるので、別の中継手段等を設ける必要がない。
【００１６】
好ましくは、前記携帯管理装置には、前記携帯端末装置及び前記他の装置と電子メールで交信するための電子メール生成手段を有することを特徴とする位置情報管理システムである。
【００１７】
前記構成によれば、前記携帯端末装置及び前記他の装置と前記携帯管理装置とは汎用されている電子メールで情報の送受信をすることができ、本システムの情報の送受信のための特別な装置を備える必要がない。
【００１８】
前記目的は、本発明によれば、携帯端末装置が位置情報取得手段で位置情報を取得する位置情報取得工程と、前記取得された位置情報を携帯管理装置へ送信する位置情報送信工程と、前記携帯管理装置の地理的領域情報生成手段が受信した前記位置情報との関連で地理的領域情報を生成し、標識を付する地理的領域情報生成工程と、前記携帯管理装置の地理的領域情報格納手段が、前記地理的領域情報生成工程で生成した前記地理的領域情報を格納する地理的領域情報格納工程と、前記携帯管理装置の状態情報生成手段が、前記地理的領域情報格納工程で格納された前記地理的領域情報に関連する状態情報を生成する状態情報生成工程と、前記携帯管理装置の状態情報格納手段が、前記状態情報生成工程で生成された前記状態情報を格納する状態情報格納工程と、前記携帯管理装置の情報送受信手段が、前記携帯端末装置と異なる他の装置からの前記携帯端末装置に関する問い合わせ情報を受信する問い合わせ情報受信工程と、前記携帯管理装置の問い合わせ情報処理手段が、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出する問い合わせ情報処理工程と、前記携帯管理装置の前記情報送受信手段が、前記問い合わせ情報処理工程で抽出された前記地理的情報格納手段及び前記状態情報を前記他の装置に送信する情報送信工程と、を有することを特徴とする位置情報管理方法により達成される。
【００１９】
前記目的は、本発明によれば、携帯端末装置の位置情報取得手段で取得された位置情報を受信し、前記位置情報との関連で地理的領域情報を生成し、標識を付する地理的領域情報生成工程と、前記携帯管理装置の地理的領域情報格納手段が、前記地理的領域情報生成工程で生成した前記地理的領域情報を格納する地理的領域情報格納工程と、前記携帯管理装置の状態情報生成手段が、前記地理的領域情報格納工程で格納された前記地理的領域情報に関連する状態情報を生成する状態情報生成工程と、前記携帯管理装置の状態情報格納手段が、前記状態情報生成工程で生成された前記状態情報を格納する状態情報格納工程と、前記携帯管理装置の情報送受信手段が、前記携帯端末装置と異なる他の装置からの前記携帯端末装置に関する問い合わせ情報を受信する問い合わせ情報受信工程と、前記携帯管理装置の問い合わせ情報処理手段が、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出する問い合わせ情報処理工程と、前記携帯管理装置の前記情報送受信手段が、前記問い合わせ情報処理工程で抽出された前記地理的情報格納手段及び前記状態情報を前記他の装置に送信する情報送信工程と、を有することを特徴とする位置情報管理装置の制御方法により達成される。
【００２０】
前記目的は、本発明によれば、携帯端末装置が位置情報取得手段で位置情報を取得する位置情報取得工程と、携帯端末装置の地理的領域情報生成手段は位置情報手段で取得した前記位置情報との関連で地理的領域情報を生成し、標識を付する地理的領域情報生成工程と、携帯端末装置の地理的領域情報格納手段が、前記地理的領域情報生成工程で生成した前記地理的領域情報を格納する地理的領域情報格納工程と、携帯端末装置の状態情報生成手段が、前記地理的領域情報格納工程で格納された前記地理的領域情報に関連する状態情報を生成する状態情報生成工程と、携帯端末装置の状態情報格納手段が、前記状態情報生成工程で生成された前記状態情報を格納する状態情報格納工程と、携帯端末装置の情報送受信手段が、他の装置からの前記携帯端末装置に関する問い合わせ情報を受信する問い合わせ情報受信工程と、携帯端末装置の問い合わせ情報処理手段が、前記情報受信工程の問い合わせ情報に基づいて、前記携帯端末装置の位置情報を取得し、この位置情報と関連する当該地理的領域情報及びこの地理的領域情報に関連する前記状態情報を、前記地理的情報格納手段及び前記状態情報格納手段から、それぞれ抽出する問い合わせ情報処理工程と、前記情報送受信手段が、前記問い合わせ情報処理工程で抽出された前記地理的情報格納手段及び前記状態情報を前記他の装置に送信する情報送信工程と、を有することを特徴とする携帯端末装置の制御方法により達成される。
【００２１】
前記各構成によれば、前記位置情報格納方法は、携帯端末装置が位置情報取得手段で位置情報を取得する位置情報取得工程と、前記取得された位置情報を携帯管理装置へ送信する位置情報送信工程と、前記携帯管理装置の地理的領域情報生成手段が受信した前記位置情報との関連で地理的領域情報を生成し、標識を付する地理的領域情報生成工程と、前記携帯管理装置の地理的領域情報格納手段が、前記地理的領域情報生成工程で生成した前記地理的領域情報を格納する地理的領域情報格納工程とを有している。
また、前記位置情報管理装置の制御方法は、携帯端末装置の位置情報取得手段で取得された位置情報を受信し、前記位置情報との関連で地理的領域情報を生成し、標識を付する地理的領域情報生成工程と、前記携帯管理装置の地理的領域情報格納手段が、前記地理的領域情報生成工程で生成した前記地理的領域情報を格納する地理的領域情報格納工程とを有している。
さらに、前記携帯端末装置の制御方法は、携帯端末装置が位置情報取得手段で位置情報を取得する位置情報取得工程と、携帯端末装置の地理的領域情報生成手段は位置情報手段で取得した前記位置情報との関連で地理的領域情報を生成し、標識を付する地理的領域情報生成工程と、携帯端末装置の地理的領域情報格納手段が、前記地理的領域情報生成工程で生成した前記地理的領域情報を格納する地理的領域情報格納工程とを有している。
【００２２】
すなわち、前記携帯端末装置からの前記位置情報が緯度及び経度等の数字情報であっても、その数字情報等との関連で一定の広がり、例えば特定の緯度及び経度を中心とした一定の半径内等のある前記地理的領域情報が生成され標識、例えば「会社」等が付され、地理的領域情報格納手段に格納される。
【００２３】
また、前記位置情報管理方法及び前記位置情報管理装置の制御方法は、前記携帯管理装置の状態情報生成手段が、前記地理的領域情報格納工程で格納された前記地理的領域情報に関連する状態情報を生成する状態情報生成工程と、前記携帯管理装置の状態情報格納手段が、前記状態情報生成工程で生成された前記状態情報を格納する状態情報格納工程とを有する。
前記携帯端末装置の制御方法は、携帯端末装置の状態情報生成手段が、前記地理的領域情報格納工程で格納された前記地理的領域情報に関連する状態情報を生成する状態情報生成工程と、携帯端末装置の状態情報格納手段が、前記状態情報生成工程で生成された前記状態情報を格納する状態情報格納工程とを有する。
すなわち、前記地理的領域情報である例えば「会社」等に関連する前記状態情報として例えば「仕事中」等の状態情報が生成され、前記状態情報格納手段に格納される。
【００２４】
また、前記位置情報管理方法及び前記位置情報管理装置の制御方法は、前記携帯管理装置の情報送受信手段が、前記携帯端末装置と異なる他の装置からの前記携帯端末装置に関する問い合わせ情報を受信する問い合わせ情報受信工程と、前記携帯管理装置の問い合わせ情報処理手段が、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出する問い合わせ情報処理工程とを有する。
さらに、携帯端末装置の制御方法は、携帯端末装置の情報送受信手段が、他の装置からの前記携帯端末装置に関する問い合わせ情報を受信する問い合わせ情報受信工程と、携帯端末装置の問い合わせ情報処理手段が、前記情報受信工程の問い合わせ情報に基づいて、前記携帯端末装置の位置情報を取得し、この位置情報と関連する当該地理的領域情報及びこの地理的領域情報に関連する前記状態情報を、前記地理的情報格納手段及び前記状態情報格納手段から、それぞれ抽出する問い合わせ情報処理工程とを有する。
【００２５】
すなわち、前記問い合わせ情報処理手段は、他の装置を操作する者から前記携帯端末装置に関する問い合わせ情報が前記携帯管理装置に入力されると、当該地理的領域情報である例えば「会社」等及び前記状態情報「仕事中」等を前記地理的情報格納手段及び状態情報格納手段から抽出する。
【００２６】
また、前記位置情報管理方法及び前記位置情報管理装置の制御方法は、前記携帯管理装置の前記情報送受信手段が、前記問い合わせ情報処理工程で抽出された前記地理的情報格納手段及び前記状態情報を前記他の装置に送信する情報送信工程を有する。
さらに、前記携帯端末装置の制御方法は、前記情報送受信手段が、前記問い合わせ情報処理工程で抽出された前記地理的情報格納手段及び前記状態情報を前記他の装置に送信する情報送信工程とを有する。
【００２７】
このため、前記問い合わせ情報処理手段で抽出された前記地理的領域情報である例えば「会社」等及び前記状態情報「仕事中」等は、前記情報送受信手段で、問い合わせをした前記他の装置に発信される。
したがって、前記他の装置で、前記地理的領域情報である例えば「会社」等及び前記状態情報「仕事中」等に接した他の装置の利用者は、前記携帯端末装置がが「会社」等に存することを直ちに認識することができ、当該位置の名称を認識するために、地図等を参照する必要がない。
また、前記地理的領域情報と共に前記状態状態である「仕事中」等に接した他の装置の利用者は、前記携帯端末装置の操作者の状況を直ちに把握することができ、例えば電話等の連絡をすべき状況か否かについて正確に判断することができる。
【００２８】
さらに、前記携帯端末装置の制御方法は、前記位置情報管理方法及び前記位置情報管理装置の制御方法と異なり、前記他の装置に当該地理的領域情報及びこの地理的領域情報に関連する状態情報を、前記携帯端末装置が自ら発信し、前記他の装置からの問い合わせ情報を受信する。このため、前記他の装置は直接、前記携帯端末装置に問い合わせをすることができるので、別の中継手段等を設ける必要がない。
【００２９】
前記目的は、本発明によれば、コンピュータに、携帯端末装置の位置情報取得手段で位置情報を取得させる位置情報取得工程と、前記取得された位置情報を携帯管理装置へ送信させる位置情報送信工程と、前記携帯管理装置の地理的領域情報生成手段に受信した前記位置情報との関連で地理的領域情報を生成し、標識を付する地理的領域情報生成工程と、前記携帯管理装置の地理的領域情報格納手段に、前記地理的領域情報生成工程で生成した前記地理的領域情報を格納させる地理的領域情報格納工程と、前記携帯管理装置の状態情報生成手段に、前記地理的領域情報格納工程で格納された前記地理的領域情報に関連する状態情報を生成させる状態情報生成工程と、前記携帯管理装置の状態情報格納手段に、前記状態情報生成工程で生成された前記状態情報を格納させる状態情報格納工程と、前記携帯管理装置の情報送受信手段に、前記携帯端末装置と異なる他の装置からの前記携帯端末装置に関する問い合わせ情報を受信させる問い合わせ情報受信工程と、前記携帯管理装置の問い合わせ情報処理手段に、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出させる問い合わせ情報処理工程と、前記携帯管理装置の前記情報送受信手段に、前記問い合わせ情報処理工程で抽出された前記地理的情報格納手段及び前記状態情報を前記他の装置に送信させる情報送信工程と、を実行させるための位置情報管理プログラムにより達成される。
【００３０】
前記目的は、本発明によれば、コンピュータに、携帯端末装置の位置情報取得手段で取得された位置情報を受信させ、前記位置情報との関連で地理的領域情報を生成し、標識を付する地理的領域情報生成工程と、前記携帯管理装置の地理的領域情報格納手段に、前記地理的領域情報生成工程で生成した前記地理的領域情報を格納させる地理的領域情報格納工程と、前記携帯管理装置の状態情報生成手段に、前記地理的領域情報格納工程で格納された前記地理的領域情報に関連する状態情報を生成させる状態情報生成工程と、前記携帯管理装置の状態情報格納手段に、前記状態情報生成工程で生成された前記状態情報を格納させる状態情報格納工程と、前記携帯管理装置の情報送受信手段に、前記携帯端末装置と異なる他の装置からの前記携帯端末装置に関する問い合わせ情報を受信させる問い合わせ情報受信工程と、前記携帯管理装置の問い合わせ情報処理手段に、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出させる問い合わせ情報処理工程と、前記携帯管理装置の前記情報送受信手段に、前記問い合わせ情報処理工程で抽出された前記地理的情報格納手段及び前記状態情報を前記他の装置に送信させる情報送信工程と、を実行させるための位置情報管理装置の制御プログラムにより達成される。
【００３１】
前記目的は、本発明によれば、コンピュータに、携帯端末装置の位置情報取得手段に位置情報を取得させる位置情報取得工程と、携帯端末装置の地理的領域情報生成手段に、位置情報手段で取得した前記位置情報との関連で地理的領域情報を生成し、標識を付する地理的領域情報生成工程と、携帯端末装置の地理的領域情報格納手段に、前記地理的領域情報生成工程で生成した前記地理的領域情報を格納させる地理的領域情報格納工程と、携帯端末装置の状態情報生成手段に、前記地理的領域情報格納工程で格納された前記地理的領域情報に関連する状態情報を生成させる状態情報生成工程と、携帯端末装置の状態情報格納手段に、前記状態情報生成工程で生成された前記状態情報を格納させる状態情報格納工程と、携帯端末装置の情報送受信手段に、他の装置からの前記携帯端末装置に関する問い合わせ情報を受信させる問い合わせ情報受信工程と、携帯端末装置の問い合わせ情報処理手段に、前記情報受信工程の問い合わせ情報に基づいて、前記携帯端末装置の位置情報を取得し、この位置情報と関連する当該地理的領域情報及びこの地理的領域情報に関連する前記状態情報を、前記地理的情報格納手段及び前記状態情報格納手段から、それぞれ抽出させる問い合わせ情報処理工程と、前記情報送受信手段に、前記問い合わせ情報処理工程で抽出された前記地理的情報格納手段及び前記状態情報を前記他の装置に送信させる情報送信工程と、を実行させるための携帯端末装置の制御プログラムにより達成される。
【００３２】
前記各構成によれば、位置情報管理プログラムは、コンピュータに、携帯端末装置の位置情報取得手段で位置情報を取得させる位置情報取得工程と、前記取得された位置情報を携帯管理装置へ送信させる位置情報送信工程と、前記携帯管理装置の地理的領域情報生成手段に受信した前記位置情報との関連で地理的領域情報を生成し、標識を付する地理的領域情報生成工程と、前記携帯管理装置の地理的領域情報格納手段に、前記地理的領域情報生成工程で生成した前記地理的領域情報を格納させる地理的領域情報格納工程とを有している。
また、前記位置情報管理装置の制御プログラムは、コンピュータに、携帯端末装置の位置情報取得手段で取得された位置情報を受信させ、前記位置情報との関連で地理的領域情報を生成し、標識を付する地理的領域情報生成工程と、前記携帯管理装置の地理的領域情報格納手段に、前記地理的領域情報生成工程で生成した前記地理的領域情報を格納させる地理的領域情報格納工程とを有している。
さらに、前記携帯端末装置の制御プログラムは、コンピュータに、携帯端末装置の位置情報取得手段に位置情報を取得させる位置情報取得工程と、携帯端末装置の地理的領域情報生成手段に、位置情報手段で取得した前記位置情報との関連で地理的領域情報を生成し、標識を付する地理的領域情報生成工程と、携帯端末装置の地理的領域情報格納手段に、前記地理的領域情報生成工程で生成した前記地理的領域情報を格納させる地理的領域情報格納工程とを有している。
【００３３】
すなわち、前記携帯端末装置からの前記位置情報が緯度及び経度等の数字情報であっても、その数字情報等との関連で一定の広がり、例えば特定の緯度及び経度を中心とした一定の半径内等のある前記地理的領域情報が生成され標識、例えば「会社」等が付され、地理的領域情報格納手段に格納される。
【００３４】
また、前記位置情報管理プログラム及び前記位置情報管理装置の制御プログラムは、前記携帯管理装置の状態情報生成手段に、前記地理的領域情報格納工程で格納された前記地理的領域情報に関連する状態情報を生成させる状態情報生成工程と、前記携帯管理装置の状態情報格納手段に、前記状態情報生成工程で生成された前記状態情報を格納させる状態情報格納工程とを有する。
さらに、前記携帯端末装置の制御プログラムは、携帯端末装置の状態情報生成手段に、前記地理的領域情報格納工程で格納された前記地理的領域情報に関連する状態情報を生成させる状態情報生成工程と、携帯端末装置の状態情報格納手段に、前記状態情報生成工程で生成された前記状態情報を格納させる状態情報格納工程とを有する。
【００３５】
すなわち、前記地理的領域情報である例えば「会社」等に関連する前記状態情報として例えば「仕事中」等の状態情報が生成され、前記状態情報格納手段に格納される。
【００３６】
また、前記位置情報管理プログラム及び前記位置情報管理装置の制御プログラムは、前記携帯管理装置の情報送受信手段に、前記携帯端末装置と異なる他の装置からの前記携帯端末装置に関する問い合わせ情報を受信させる問い合わせ情報受信工程と、前記携帯管理装置の問い合わせ情報処理手段に、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出させる問い合わせ情報処理工程とを有する。
さらに、携帯端末装置の制御プログラムは、携帯端末装置の情報送受信手段に、他の装置からの前記携帯端末装置に関する問い合わせ情報を受信させる問い合わせ情報受信工程と、携帯端末装置の問い合わせ情報処理手段に、前記情報受信工程の問い合わせ情報に基づいて、前記携帯端末装置の位置情報を取得し、この位置情報と関連する当該地理的領域情報及びこの地理的領域情報に関連する前記状態情報を、前記地理的情報格納手段及び前記状態情報格納手段から、それぞれ抽出させる問い合わせ情報処理工程とを有する。
【００３７】
すなわち、前記問い合わせ情報処理手段は、他の装置を操作する者から前記携帯端末装置に関する問い合わせ情報が前記携帯管理装置に入力されると、当該地理的領域情報である例えば「会社」等及び前記状態情報「仕事中」等を前記地理的情報格納手段及び状態情報格納手段から抽出する。
【００３８】
また、前記位置情報管理プログラム及び前記位置情報管理装置の制御プログラムは、前記携帯管理装置の前記情報送受信手段に、前記問い合わせ情報処理工程で抽出された前記地理的情報格納手段及び前記状態情報を前記他の装置に送信させる情報送信工程とを有する。
さらに、携帯端末装置の制御プログラムは、前記情報送受信手段に、前記問い合わせ情報処理工程で抽出された前記地理的情報格納手段及び前記状態情報を前記他の装置に送信させる情報送信工程とを有する。
【００３９】
このため、前記問い合わせ情報処理手段で抽出された前記地理的領域情報である例えば「会社」等及び前記状態情報「仕事中」等は、前記情報送受信手段で、問い合わせをした前記他の装置に発信される。
したがって、前記他の装置で、前記地理的領域情報である例えば「会社」等及び前記状態情報「仕事中」等に接した他の装置の利用者は、前記携帯端末装置がが「会社」等に存することを直ちに認識することができ、当該位置の名称を認識するために、地図等を参照する必要がない。
また、前記地理的領域情報と共に前記状態状態である「仕事中」等に接した他の装置の利用者は、前記携帯端末装置の操作者の状況を直ちに把握することができ、例えば電話等の連絡をすべき状況か否かについて正確に判断することができる。
【００４０】
さらに、前記携帯端末装置の制御プログラムは、前記位置情報管理プログラム及び前記位置情報管理装置の制御プログラムと異なり、前記他の装置に当該地理的領域情報及びこの地理的領域情報に関連する状態情報を、前記携帯端末装置が自ら発信し、前記他の装置からの問い合わせ情報を受信する。このため、前記他の装置は直接、前記携帯端末装置に問い合わせをすることができるので、別の中継手段等を設ける必要がない。
【００４１】
前記目的は、本発明によれば、コンピュータに、携帯端末装置の位置情報取得手段で位置情報を取得させる位置情報取得工程と、前記取得された位置情報を携帯管理装置へ送信させる位置情報送信工程と、前記携帯管理装置の地理的領域情報生成手段に受信した前記位置情報との関連で地理的領域情報を生成し、標識を付する地理的領域情報生成工程と、前記携帯管理装置の地理的領域情報格納手段に、前記地理的領域情報生成工程で生成した前記地理的領域情報を格納させる地理的領域情報格納工程と、前記携帯管理装置の状態情報生成手段に、前記地理的領域情報格納工程で格納された前記地理的領域情報に関連する状態情報を生成させる状態情報生成工程と、前記携帯管理装置の状態情報格納手段に、前記状態情報生成工程で生成された前記状態情報を格納させる状態情報格納工程と、前記携帯管理装置の情報送受信手段に、前記携帯端末装置と異なる他の装置からの前記携帯端末装置に関する問い合わせ情報を受信させる問い合わせ情報受信工程と、前記携帯管理装置の問い合わせ情報処理手段に、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出させる問い合わせ情報処理工程と、前記携帯管理装置の前記情報送受信手段に、前記問い合わせ情報処理工程で抽出された前記地理的情報格納手段及び前記状態情報を前記他の装置に送信させる情報送信工程と、を実行させるための位置情報管理プログラムを記録したコンピュータ読み取り可能な記録媒体により達成される。
【００４２】
前記目的は、本発明によれば、コンピュータに、携帯端末装置の位置情報取得手段で取得された位置情報を受信させ、前記位置情報との関連で地理的領域情報を生成し、標識を付する地理的領域情報生成工程と、前記携帯管理装置の地理的領域情報格納手段に、前記地理的領域情報生成工程で生成した前記地理的領域情報を格納させる地理的領域情報格納工程と、前記携帯管理装置の状態情報生成手段に、前記地理的領域情報格納工程で格納された前記地理的領域情報に関連する状態情報を生成させる状態情報生成工程と、前記携帯管理装置の状態情報格納手段に、前記状態情報生成工程で生成された前記状態情報を格納させる状態情報格納工程と、前記携帯管理装置の情報送受信手段に、前記携帯端末装置と異なる他の装置からの前記携帯端末装置に関する問い合わせ情報を受信させる問い合わせ情報受信工程と、前記携帯管理装置の問い合わせ情報処理手段に、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出させる問い合わせ情報処理工程と、前記携帯管理装置の前記情報送受信手段に、前記問い合わせ情報処理工程で抽出された前記地理的情報格納手段及び前記状態情報を前記他の装置に送信させる情報送信工程と、を実行させるための位置情報管理装置の制御プログラムを記録したコンピュータ読み取り可能な記録媒体により達成される。
【００４３】
前記目的は、本発明によれば、コンピュータに、携帯端末装置の位置情報取得手段に位置情報を取得させる位置情報取得工程と、携帯端末装置の地理的領域情報生成手段に、位置情報手段で取得した前記位置情報との関連で地理的領域情報を生成し、標識を付する地理的領域情報生成工程と、携帯端末装置の地理的領域情報格納手段に、前記地理的領域情報生成工程で生成した前記地理的領域情報を格納させる地理的領域情報格納工程と、携帯端末装置の状態情報生成手段に、前記地理的領域情報格納工程で格納された前記地理的領域情報に関連する状態情報を生成させる状態情報生成工程と、携帯端末装置の状態情報格納手段に、前記状態情報生成工程で生成された前記状態情報を格納させる状態情報格納工程と、携帯端末装置の情報送受信手段に、他の装置からの前記携帯端末装置に関する問い合わせ情報を受信させる問い合わせ情報受信工程と、携帯端末装置の問い合わせ情報処理手段に、前記情報受信工程の問い合わせ情報に基づいて、前記携帯端末装置の位置情報を取得し、この位置情報と関連する当該地理的領域情報及びこの地理的領域情報に関連する前記状態情報を、前記地理的情報格納手段及び前記状態情報格納手段から、それぞれ抽出させる問い合わせ情報処理工程と、前記情報送受信手段に、前記問い合わせ情報処理工程で抽出された前記地理的情報格納手段及び前記状態情報を前記他の装置に送信させる情報送信工程と、を実行させるための携帯端末装置の制御プログラムを記録したコンピュータ読み取り可能な記録媒体により達成される。
【００４４】
前記各構成によれば、位置情報管理プログラムを記録したコンピュータ読み取り可能な記録媒体は、コンピュータに、携帯端末装置の位置情報取得手段で位置情報を取得させる位置情報取得工程と、前記取得された位置情報を携帯管理装置へ送信させる位置情報送信工程と、前記携帯管理装置の地理的領域情報生成手段に受信した前記位置情報との関連で地理的領域情報を生成し、標識を付する地理的領域情報生成工程と、前記携帯管理装置の地理的領域情報格納手段に、前記地理的領域情報生成工程で生成した前記地理的領域情報を格納させる地理的領域情報格納工程とを有している。
また、前記位置情報管理装置の制御プログラムを記録したコンピュータ読み取り可能な記録媒体は、コンピュータに、携帯端末装置の位置情報取得手段で取得された位置情報を受信させ、前記位置情報との関連で地理的領域情報を生成し、標識を付する地理的領域情報生成工程と、前記携帯管理装置の地理的領域情報格納手段に、前記地理的領域情報生成工程で生成した前記地理的領域情報を格納させる地理的領域情報格納工程とを有している。
さらに、前記携帯端末装置の制御プログラムを記録したコンピュータ読み取り可能な記録媒体は、コンピュータに、携帯端末装置の位置情報取得手段に位置情報を取得させる位置情報取得工程と、携帯端末装置の地理的領域情報生成手段に、位置情報手段で取得した前記位置情報との関連で地理的領域情報を生成し、標識を付する地理的領域情報生成工程と、携帯端末装置の地理的領域情報格納手段に、前記地理的領域情報生成工程で生成した前記地理的領域情報を格納させる地理的領域情報格納工程とを有している。
【００４５】
すなわち、前記携帯端末装置からの前記位置情報が緯度及び経度等の数字情報であっても、その数字情報等との関連で一定の広がり、例えば特定の緯度及び経度を中心とした一定の半径内等のある前記地理的領域情報が生成され標識、例えば「会社」等が付され、地理的領域情報格納手段に格納される。
【００４６】
また、前記位置情報管理プログラムを記録したコンピュータ読み取り可能な記録媒体及び前記位置情報管理装置の制御プログラムを記録したコンピュータ読み取り可能な記録媒体は、前記携帯管理装置の状態情報生成手段に、前記地理的領域情報格納工程で格納された前記地理的領域情報に関連する状態情報を生成させる状態情報生成工程と、前記携帯管理装置の状態情報格納手段に、前記状態情報生成工程で生成された前記状態情報を格納させる状態情報格納工程とを有する。さらに、前記携帯端末装置の制御プログラムを記録したコンピュータ読み取り可能な記録媒体は、携帯端末装置の状態情報生成手段に、前記地理的領域情報格納工程で格納された前記地理的領域情報に関連する状態情報を生成させる状態情報生成工程と、携帯端末装置の状態情報格納手段に、前記状態情報生成工程で生成された前記状態情報を格納させる状態情報格納工程とを有する。
【００４７】
すなわち、前記地理的領域情報である例えば「会社」等に関連する前記状態情報として例えば「仕事中」等の状態情報が生成され、前記状態情報格納手段に格納される。
【００４８】
また、前記位置情報管理プログラムを記録したコンピュータ読み取り可能な記録媒体及び前記位置情報管理装置の制御プログラムを記録したコンピュータ読み取り可能な記録媒体は、前記携帯管理装置の情報送受信手段に、前記携帯端末装置と異なる他の装置からの前記携帯端末装置に関する問い合わせ情報を受信させる問い合わせ情報受信工程と、前記携帯管理装置の問い合わせ情報処理手段に、前記情報受信工程の問い合わせ情報に基づいて、前記携帯端末装置の位置情報を取得し、この位置情報と関連する当該携帯管理装置の前記地理的領域情報及びこの地理的領域情報に関連する前記状態情報を、前記地理的情報格納手段及び状態情報格納手段から、それぞれ抽出させる問い合わせ情報処理工程とを有する。
さらに、携帯端末装置の制御プログラムを記録したコンピュータ読み取り可能な記録媒体は、携帯端末装置の情報送受信手段に、他の装置からの前記携帯端末装置に関する問い合わせ情報を受信させる問い合わせ情報受信工程と、携帯端末装置の問い合わせ情報処理手段に、前記情報受信工程の問い合わせ情報に基づいて、前記携帯端末装置の位置情報を取得し、この位置情報と関連する当該地理的領域情報及びこの地理的領域情報に関連する前記状態情報を、前記地理的情報格納手段及び前記状態情報格納手段から、それぞれ抽出させる問い合わせ情報処理工程とを有する。
【００４９】
すなわち、前記問い合わせ情報処理手段は、他の装置を操作する者から前記携帯端末装置に関する問い合わせ情報が前記携帯管理装置に入力されると、当該地理的領域情報である例えば「会社」等及び前記状態情報「仕事中」等を前記地理的情報格納手段及び状態情報格納手段から抽出する。
【００５０】
また、前記位置情報管理プログラムを記録したコンピュータ読み取り可能な記録媒体及び前記位置情報管理装置の制御プログラムを記録したコンピュータ読み取り可能な記録媒体は、前記携帯管理装置の前記情報送受信手段に、前記問い合わせ情報処理工程で抽出された前記地理的情報格納手段及び前記状態情報を前記他の装置に送信させる情報送信工程とを有する。
さらに、携帯端末装置の制御プログラムを記録したコンピュータ読み取り可能な記録媒体は、前記情報送受信手段に、前記問い合わせ情報処理工程で抽出された前記地理的情報格納手段及び前記状態情報を前記他の装置に送信させる情報送信工程とを有する。
【００５１】
このため、前記問い合わせ情報処理手段で抽出された前記地理的領域情報である例えば「会社」等及び前記状態情報「仕事中」等は、前記情報送受信手段で、問い合わせをした前記他の装置に発信される。
したがって、前記他の装置で、前記地理的領域情報である例えば「会社」等及び前記状態情報「仕事中」等に接した他の装置の利用者は、前記携帯端末装置がが「会社」等に存することを直ちに認識することができ、当該位置の名称を認識するために、地図等を参照する必要がない。
また、前記地理的領域情報と共に前記状態状態である「仕事中」等に接した他の装置の利用者は、前記携帯端末装置の操作者の状況を直ちに把握することができ、例えば電話等の連絡をすべき状況か否かについて正確に判断することができる。
【００５２】
さらに、前記携帯端末装置の制御プログラムを記録したコンピュータ読み取り可能な記録媒体は、前記位置情報管理プログラムを記録したコンピュータ読み取り可能な記録媒体及び前記位置情報管理装置の制御プログラムを記録したコンピュータ読み取り可能な記録媒体と異なり、前記他の装置に当該地理的領域情報及びこの地理的領域情報に関連する状態情報を、前記携帯端末装置が自ら発信し、前記他の装置からの問い合わせ情報を受信する。このため、前記他の装置は直接、前記携帯端末装置に問い合わせをすることができるので、別の中継手段等を設ける必要がない。
【００５３】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００５４】
図１は、本発明の実施の形態に係る位置情報管理システム１０を示す概略図である。
図１に示すように、位置情報管理システム１０は、位置情報取得手段である例えば、後述するＧＰＳ（Ｇｌｏｂａｌ　Ｐｏｓｉｔｉｏｎｉｎｇ　Ｓｙｓｔｅｍ）情報生成部を備える携帯端末装置である例えば携帯電話１００を有している。このＧＰＳ情報生成部は、ＧＰＳ衛星１２ａ乃至１２ｄより発信される電波を受信して、その位置情報である例えば緯度、経度及び高度に関する情報を生成する。
また、位置情報管理システム１０は、携帯電話１００を管理するための携帯管理装置である例えば管理サーバ２００も有している。
これら携帯電話１００と管理サーバ２００とは、携帯電話基地局１３及びインターネット網１１を介して交信可能な構成となっている。
【００５５】
（携帯電話１００の構成等について）
図２は、携帯電話１００の主なソフト構成等を示す概略ブロック図である。
図２に示すように携帯電話１００は、その内部にＧＰＳ情報生成部１１０や、外部と電話をするための電話部１２０、例えばディスプレイを動作させる表示動作部１６０、そして、利用者が情報を入力するキー等を動作させる入力動作部１７０等を有している。
また、携帯電話１００は、図１のインターネット網１１を介して電子メールで管理サーバ２００や他の装置である他の携帯電話等と交信するための電子メール生成手段である例えばメール生成部１４０や、データ制御部１３０そして、データベース１５０等を有している。
さらに、携帯電話１００は、ＧＰＳ衛星１２ａ等や携帯電話基地局１３等と交信等をするための送受信部１８０や、時間を管理する時間管理部１００ｂも有している。
【００５６】
（ＧＰＳ装置１１０の構成等について）
図３は、図２のＧＰＳ情報生成部１１０の主にハードウエア構成等を示す概略ブロックである。
図３に示すように、ＧＰＳ情報生成部１１０は、図２の送受信部１８０と接続されているＲＦ部１１３、ダウンコンバータ１１４、アナログ・デジタル変換部１１５、キャリア検出部１１６、コード検出部１１７、コード生成部１１８、周波数生成部１１９及びナビゲーションデータ抽出部１００ａ等を有している。
【００５７】
このようなＧＰＳ情報生成部１１０は、以下のように動作等する。
先ず、図１に示すＧＰＳ衛星１２ａ乃至１２ｄからの電波は、送受信部１８０で受信された後、ＲＦ部１１３やダウンコンバータ１１４を介してアナログ・デジタル変換部１１５で、アナログデータがデジタルデータに変換される。
そして、ＧＰＳ衛星１２ａ等からの電波に含まれるコードとキャリア周波数を図３のコード検出部１１７とキャリア検出部１１６でそれぞれ検出されることになる。
これらコード検出部１１７とキャリア検出部１１６でコードとキャリア周波数を検出するために図３のコード生成部１１８と周波数生成部１１９とで検出用のコードと周波数を生成する構成となっている。
【００５８】
このようにして、検出されたキャリア周波数とコードとは、図３に示すナビゲーションデータ抽出部１００ａに入力される。
ナビゲーションデータ抽出部１００ａでは、ＧＰＳ衛星１２ａ等のキャリア周波数とコードとに基づきＧＰＳ衛星１２ａ等の位置データとＧＰＳ衛星１２ａ等までの距離データとを取得する。
これら位置及び距離データに基づきナビゲーションデータ抽出部１００ａが演算し、携帯電話１００が位置情報を緯度、経度及び高度の位置情報として把握することとなる。
このようにしてＧＰＳ情報生成部１１０は位置情報を生成する。
【００５９】
（携帯電話１００のコンピュータのハードウエア構成等について）
携帯電話１００は、上述のソフトウエア等を動作等させるためのコンピュータを有しており、図４は、かかるコンピュータの主なハードウエア構成等を示す概略図である。
図４に示すように、コンピュータは、バス１０１を有しており、このバス１０１に、ＣＰＵ（Ｃｅｎｔｒａｌ　Ｐｒｏｃｅｓｓｉｎｇ　Ｕｎｉｔ）１０２、ＲＡＭ（Ｒａｎｄｏｍ　Ａｃｃｅｓｓ　Ｍｅｍｏｒｙ）１０３、ＲＯＭ（Ｒｅａｄ
Ｏｎｌｙ　Ｍｅｍｏｒｙ）１０４等が配置されている。
【００６０】
また、バス１０１には、図２の示す入力動作部１７０で動作させられるキーボード等の入力装置１０５、表示動作部１６０で動作させられるディスプレイ等の表示装置１０６、ＧＰＳ情報生成部１１０を有するＧＰＳ装置１０７、電話部１２０で動作させられる電話装置１０８が接続されている。
さらに、バス１０１には、図２の時計管理部１００ｂが動作させる時計１０９、送受信部１８０が動作させる送受信装置１００ｃも接続されている。
なお、図２のデータ制御部１３０で動作させるのは、主に図４のＣＰＵ１０２、ＲＡＭ１０３及びＲＯＭ１０４であり、これらが動作することで図３のソフトウエアや図４の各装置等が動作する構成となっている。
【００６１】
具体的には、バス１０１はすべてのデバイスを接続する機能を有し、アドレスやデータパスを有する内部パスである。
ＣＰＵ１０２は所定のプログラムの処理を行う他、バス１０１に接続されたＲＯＭ１０４等を制御している。ＲＯＭ１０４には、各種プログラムや各種情報等が格納される。
ＲＡＭ１０３は、プログラム処理中のメモリの内容を対比したり、プログラムを実行するためのエリアとしての機能を有する。
【００６２】
（電話部１２０の構成等について）
図５は、図２の携帯電話１００の電話部１２０の主にソフトウエア構成等を示す概略ブロック図である。
図５に示すように電話部１２０は、図２の送受信部１８０と接続されているＲＦ部１２１、ベースバンド処理部１２２、音声処理部１２３、スピーカ部１２４及びマイクロホン部１２５等を有している。
したがって、送受信部１８０で受信された携帯電話基地局１３からの音声信号はＲＦ部１２１等を介してスピーカ部１２４を介して図示しないスピーカ装置から音声として出力されるので、利用者が音声を聞くことができる構成となっている。
逆に、利用者の発した音声は、図示しないマイクロホン装置から入力され、マイクロホン部１２５、音声処理部１２３等を介して送受信部１８０から携帯電話基地局１３に発信される構成となっている。
【００６３】
（メール生成部１４０等の構成等について）
このような構成の携帯電話１００は携帯電話基地局１３を介してインターネット網１４により管理サーバ２００等に接続されている。
したがって、携帯電話１００のコンピュータはＨＴＭＬ言語で書かれたファイルを読み取ることができるプラウザを有し、図４のディスプレイ等の表示装置１０６に表示できる構成となっている。
プラウザとしては、ＨＴＭＬ閲覧ソフトである各種のブラウザソフトが適用される。
【００６４】
（管理サーバ２００のソフトウエア構成等について）
図６は、管理サーバ２００の主なソフトウエア構成等を示す概略ブロック図である。
図６に示すように管理サーバ２００には、図２の携帯電話１００と同様に、メール生成部２４０、データベース２５０、表示動作部２６０、入力動作部２７０及び時間管理部２００ｂを有しているので、これらの説明は省略する。
一方、管理サーバ２００は、携帯電話１００と異なり、ゾーン情報生成部２１０、ゾーン名称付与部２９０、状態名称付与部２２０、及び問い合わせ情報処理部２００ｃ等を有している。
【００６５】
ゾーン情報生成部２１０は、携帯電話１００のＧＰＳ装置１０７で取得した位置情報である例えば緯度、経度及び高度情報との関連で地理的領域情報である例えばゾーン情報を生成する地理領域情報生成手段の一例である。
例えば、前記緯度及び経度等で特定される特定の一点を中心に、地図上に任意の半径を描くことで、地図上に円形のゾーンを形成でき、これをゾーン情報とする。
そして、図６のデータベース２５０は、この生成されたゾーン情報のデータを格納する。
【００６６】
また、ゾーン名称付与部２９０は、ゾーン情報生成部２１０で生成されたゾーン情報に標識である例えば名称等を付する地理的領域情報生成手段の一例である。
例えば、前記データベース２５０に格納されたゾーン情報に「自宅」や「会社」という名称を付し、再びデータベース２５０に格納することになる。
すなわち、図６のデータベース２５０は、この生成されたゾーン情報のデータを格納する地理的情報格納手段として機能する。
【００６７】
また、状態名称付与部２２０は、ゾーン情報生成部２１０及びゾーン名称付与部２９０で生成されたゾーン情報に関連する状態情報である状態名称を生成する状態情報生成手段の一例である。
データベース２５０は、この状態名称が付与されたゾーン情報を格納する状態情報格納手段としても機能する。
図７は、データベース２５０に格納されているゾーン情報及び状態名称等の一例を示すものである。図７に示すように携帯電話１００の例えばＩＤ番号毎に複数のゾーン情報が、緯度及び経度等及び半径（ｍ）で特定されている。
また、この各ゾーン情報の関連する状態名称も複数登録できるように成っている。
【００６８】
問い合わせ情報処理部２００ｃは、携帯電話１００と異なる他の装置である例えば図１の携帯電話１００（Ｂ）からの携帯電話１００（Ａ）に関する問い合わせ情報に基づいて、携帯電話１００（Ａ）の緯度及び経度等の情報を取得する。そして、問い合わせ情報処理部２００ｃは、この緯度及び経度等の情報と関連する前記ゾーン情報及び状態名称を図７に示すデータベース２５０から抽出する問い合わせ情報処理手段の一例である。
【００６９】
また、図６の管理サーバ２００の送受信部２８０は、図１の携帯電話１００（Ｂ）からの問い合わせ情報を受信し、問い合わせ情報処理部２００ｃで抽出したゾーン情報及び状態名称を、携帯電話１００（Ｂ）へ発信する情報送受信手段の一例である。
【００７０】
（管理サーバ２００のハードウエア構成等について）
図１の管理サーバ２００は、例えばコンピュータ等から成っている。図８は、管理サーバ２００の主なハードウエア構成等を示す概略図である。
図８に示すように、管理サーバ２００のコンピュータは、図４の携帯電話１００と同様に、バス２０１、ＣＰＵ２０２、ＲＡＭ２０３、ＲＯＭ２０４、入力装置２０５、表示装置２０６、送受信装置２００ｃ等を有しており、これらは上述の携帯電話１００で説明したバス１０１等と同様である。
また、管理サーバ２００には、携帯電話１００と異なり、バス２０１には、ハードディスク２００ｄが接続されている。
【００７１】
このような構成の管理サーバ２００は、携帯電話基地局１３とインターネット網１４を介して携帯電話１００に接続されている。
したがって、管理サーバ２００のコンピュータはＨＴＭＬ言語で書かれたファイルを読み取ることができるプラウザが図８のディスプレイ等の表示装置２０６に表示できる構成となっている。
プラウザとしては、ＨＴＭＬ閲覧ソフトである各種のブラウザソフトが適用される。
また、管理サーバ２００のコンピュータは、ＷＥＢサーバとしての役割を果たすことができ、このコンピュータが搭載している基本制御プログラム（ＯＳ（オペレーションシステム））やＢＩＯＳ（基本出力制御システム）とＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）やｊａｖａ言語等により動作する構成となっている。
【００７２】
本実施の形態の位置情報管理システム１０、管理サーバ２００、携帯電話１００は、以上のように構成されるが、位置情報管理方法、管理サーバ２００の制御方法、携帯電話１００の制御方法等を一例挙げて詳細に説明する。
先ず、図１の携帯電話１００（Ａ）を所持する利用者（Ａ）は、自己の携帯電話１００（Ａ）を管理サーバ２００に登録する。
【００７３】
（新規登録の場合）
図９は新規登録の手順を示すフローチャートであり、図１０は、管理サーバ２００から携帯電話１００（Ａ）の表示装置１０６に示される画面例を示すものである。
図９のＳＴ１に示すように、携帯電話１００（Ａ）の利用者（Ａ）は、自己の携帯電話１００から図１の管理サーバ２００にインターネット網１１を介して接続する。
【００７４】
すると、ＳＴ２に示すように、管理サーバ２００は携帯電話１００（Ａ）に入力画面を表示する。図１０（ａ）がその入力画面の一例である。
ここで利用者（Ａ）が新規登録を選択すると、画面は（ｂ）に代わり電子メールアドレス及びパスワードに入力画面となる。
ここで利用者（Ａ）が所定事項を入力し、管理サーバ２００が確認すると、画面が（ｃ）に代わり、登録通知と共に利用者（Ａ）のＩＤ番号が付与される（ＳＴ３）。
【００７５】
これで新規登録は終了し、図６の管理サーバ２００のデータベース２５０内には図７に示すような利用者（Ａ）のファイルが作成される。
図１１は利用者（Ａ）が主に携帯電話１００（Ａ）を所持して移動する場所を示す概略図である。
利用者（Ａ）は、図１１に示すように、自宅、会社及びスポーツジムに立ち寄る習慣となっている。
【００７６】
（ゾーン情報の設定又は変更の場合）
図１２及び図１３は、利用者（Ａ）がゾーン情報を設定又は変更する場合を示すフローチャートである。図１４はゾーン情報及び状態名称を設定又は変更する場合の画面例である。
ここで、利用者（Ａ）が図１１の自宅に居る場合を例に以下説明する。
自宅に居る利用者（Ａ）は自己の携帯電話１００（Ａ）から管理サーバ２００に接続し、付与されたＩＤ番号及びパスワードを入力する（図１２のＳＴ４）。
すると、管理サーバ２００は携帯電話１００（Ａ）の電子メールアドレス、ＩＤ番号及びパスワードを確認し、図１４（ａ）のメニュー画面を表示する（ＳＴ５）。
【００７７】
ここで利用者（Ａ）が設定及び変更を選択する（ＳＴ６）と、画面が（ｂ）に変わる。この画面でゾーン設定を選択する（ＳＴ７）と、画面は（ｃ）の緯度・経度入力となる。
このとき、携帯電話１００（Ａ）のＧＰＳ装置１０７が取得した緯度、経度及び高度等の位置情報を取得する（位置情報取得工程）。
この取得した緯度、経度等の情報を携帯電話１００（Ａ）の送受信装置１０８が管理サーバ２００へ送信し、入力する（位置情報送信工程）（ＳＴ８）。
これにより、管理サーバ２００は利用者（Ａ）の携帯電話１００（Ａ）の位置を緯度、携帯等の情報として把握する。
次に、画面は図１４（ｄ）に変わり、入力済みの緯度、経度等を中心に任意の半径を入力する（図１３のＳＴ９）。
【００７８】
図６のゾーン情報生成部２１０は、携帯電話１００（Ａ）に緯度、経度等の情報と前記半径の情報とを受信し、緯度、経度等を中心とした所定の半径で形成される略円形の地理的領域情報である例えばゾーン情報を生成する（地理的領域情報生成工程）。
次に、画面は図１４（ｅ）に変わり、ゾーン情報の名称の入力画面となる。この入力画面でゾーン情報の標識であるゾーン名として例えば「自宅」と入力する（ＳＴ１０）。
このとき、管理サーバ２００の図６のゾーン名称付与部２９０が動作し、ゾーン名を付与する。
【００７９】
このようにゾーン名が付与されたゾーン情報は、図１３のＳＴ１１に示すように、図６のデータベース２５０に登録される（地理的領域情報管理工程）。
具体的には、図７のファイルにゾーン情報として登録される
【００８０】
このようにデータベース２５０に登録されたゾーン情報を変更するには、図１２のＳＴ６、図１４（ｂ）の画面でゾーン変更を選択し（ＳＴ１２）、図１４（ｆ）の画面で変更するゾーン名、例えば「自宅」を選択する（ＳＴ１３）。
すると、図１４（ｄ）の画面で半径を変更でき、図１４（ｅ）でゾーン名を「社宅」等に変更することができる。
【００８１】
（状態名称の設定又は変更の場合）
図１５及び図１６は、利用者（Ａ）が状態名称の設定又は変更する場合を示すフローチャートである。
先ず、図１５のＳＴ１４乃至ＳＴ１６で示すように、図１４（ｂ）の画面を管理サーバ２００によって表示させる。
この画面で状態名の設定を選択する（ＳＴ１７）。すると、図１４（ｇ）の画面に変わり、データベース２５０に登録されたゾーン名が表示される。ここで例えば「自宅」を選択する（ＳＴ１８）と、（ｈ）の画面に変わり、複数の状態名が入力できるようになっている。
ここでゾーン情報に関連する状態情報である状態名を入力（生成）する（状態情報生成工程）（ＳＴ１９）。
例えば状態名として、（１）の欄に「休養中」、（２）の欄に「睡眠中」と入力したとする。
この状態名の付与は図６の管理サーバ２００の状態名称付与部２２０によってデータベース２５０に登録され、図７の携帯電話１００（Ａ）のファイルのゾーン情報と関連付けて状態名が登録される（状態情報格納工程）。
【００８２】
状態名を変更する場合は、図１４（ｂ）の画面を管理サーバ２００に表示させ、状態名変更を選択する（図１５のＳＴ２１）。
次に、図１４（ｉ）の画面で変更するゾーン名を選択し、図１４（ｈ）の画面で変更する。この場合、画面には既登録の状態名が表示されているので、その表示を削除又は再入力することで変更を行う（状態情報生成工程）。
次に、データベース２５０に変更後の状態名が登録される（ＳＴ２４）
【００８３】
以上のようにして、携帯電話１００（Ａ）の利用者（Ａ）が自宅に居る場合の設定又は変更が終了する。
そして、同様に図１１の会社に居るとき、利用者（Ａ）が携帯電話１００（Ａ）から管理サーバ２００にアクセスして、ゾーン情報及び関連する状態名を登録する。
例えば、ゾーン名が「会社」で、状態名（１）が「仕事中」、状態名（２）が「休憩中」とする。
さらに、図１１のスポーツジムでは、ゾーン名が「スポーツジム」で、状態名（１）が「ジム中」、状態名（２）が「休憩中」とする。
これで、すべての設定が終了し、この位置情報管理システム１０の利用の段階に移行する。
【００８４】
（位置情報管理システム１０の利用等について）
図１７及び図１８は利用の手順を示すフローチャートであり、図１９は画面例である。
利用者（Ａ）が自宅に居る場合は、自己の携帯電話１００（Ａ）で管理サーバ２００にアクセスし、図１９（ａ）の画面を表示させる（図１７のＳＴ２５乃至ＳＴ２７）。
すると、図１９（ｂ）の画面になり、このとき携帯電話１００（Ａ）のＧＰＳ装置１０７で緯度、経度等の位置情報を取得し、管理サーバ２００へ送信する（ＳＴ２８）。
【００８５】
図６の問い合わせ情報処理部２００ｃは、データベース２５０内の携帯電話１００（Ａ）のファイル（図７参照）のゾーン情報の円形内に、当該位置情報が含まれるゾーン名を検索し、図１９（ｃ）のように表示、例えば「自宅」ですと、表示する（ＳＴ２９）。
次に、図１９（ｄ）に示すように、表示されたゾーン名に関連する状態名の一覧が表示される。
このとき利用者（Ａ）は、自己の状態に近い状態、例えば「休養中」を選択する（ＳＴ３０）。
次に、図１９（ｅ）の画面で時間設定を行う（ＳＴ３１及びＳＴ３２）。これは、利用者（Ａ）が選択した「休養中」の表示の表示時間を具体的に設定するためである。
同様に、図１１の会社やスポーツジムでも利用することができる。
【００８６】
（問い合わせについて）
図１の携帯電話１００（Ｂ）の所持者である利用者（Ｂ）は、利用者（Ａ）の友人で、利用者（Ａ）が何処にいて、現在の状態を知りたいときに、本実施の形態の位置情報管理システム１０で問い合わせすることになる。
図２０及び図２１は問い合わせのフローチャートであり、図２２は画面例である。
先ず、図１の携帯電話１００（Ｂ）の所持者である友人は、管理サーバ２００にアクセスする。すると、この携帯電話１００（Ｂ）の電子メールアドレスは登録されていないので、管理サーバ２００の問い合わせ情報処理部２００ｃは、問い合わせと判断して、画面に問い合わせメニューのみを表示する（ＳＴ３３）。
【００８７】
利用者（Ｂ）が問い合わせを選択すると、図２２（ｂ）の画面が表示され、問い合わせ先の電子メールアドレス（利用者（Ａ）の携帯電話１００（Ａ）の電子メールアドレス）の入力画面となり、入力する（ＳＴ３４）。
すなわち、管理サーバ２００の送受信部２８０が、携帯電話１００（Ａ）と異なる他の携帯電話１００（Ｂ）から携帯電話１００（Ａ）に関する問い合わせ情報を受信する情報受信工程となる。
【００８８】
次に、図６の問い合わせ情報処理部２００ｃが、利用者（Ｂ）の問い合わせ情報である例えば電子メールアドレスに基づいて、当該電子メールアドレスを有する携帯電話１００（Ａ）に位置情報を求める。
位置情報を求められた携帯電話１００（Ａ）は、自己のＧＰＳ情報生成部１１０で現在地の緯度、経度等の情報を求め、送受信部１８０で管理サーバ２００へ送信する。
この緯度、経度等の情報を入手した問い合わせ情報処理部２００ｃは、入手した緯度、経度等の情報を含むゾーン名が、データベース２５０の携帯電話１００（Ａ）のファイル（図７参照）に存在する否かを検索する（ＳＴ３５及びＳＴ３６）。
【００８９】
上述の例の場合は、携帯電話１００（Ａ）の利用者（Ａ）は、自宅に居るため、ゾーン情報名が「自宅」のデータがその関連状態情報、上述の例では「休養中」と共にデータベース２５０から抽出される（ＳＴ３６及びＳＴ３７）（問い合わせ情報処理工程）。
一方、携帯電話１００（Ａ）のファイルに該当する緯度、経度等の情報が存在しない場合、利用者（Ａ）は移動中と判断し、「移動中」とのデータをデータベース２５０から抽出する。
【００９０】
このように抽出されたゾーン名「自宅」、状態名「休養中」のデータもしくは「移動中」のデータは、図６の送受信部２８０より図１の携帯電話１００（Ｂ）に送信される。
このときの画面が図２２（ｃ）であり、問い合わせ先の位置及び状態が明確に分かるようになっている（ＳＴ３９）（情報送信工程）。
【００９１】
以上のように、本実施の形態の位置情報管理システム１０によれば、携帯電話１００（Ａ）からの位置情報が緯度、経度等の数字情報であっても、その数字で特定される点を中心とした円形等のゾーンが生成され、そのゾーン名「自宅」等が付される。
さらに、このゾーン名「自宅」に、状態情報である「休養中」が生成され、付加されている。
したがって、携帯電話１００（Ａ）の利用者（Ａ）の居所及び状態を知りたい携帯電話１００（Ｂ）の利用者（Ｂ）は、管理サーバ２００に問い合わせをすることで、問い合わせ先の携帯電話１００（Ａ）の居所や状態を明確に把握することができる。
【００９２】
すなわち、携帯電話１００（Ａ）の位置情報を緯度、経度等の数値情報又は住所等の情報で取得する場合は、問い合わせ先の場所の特定に地図等が必要であったが、本実施の形態では、地図等を参照することなく直ちに場所と特定することができるので使用し易い位置情報管理システム１０となる。
さらに、本実施の形態では、状態情報も併せて入手できるので、例えば直ちに問い合わせ先に電話してよいか等の判断が容易となる。
また、利用者（Ａ）は自己の状態名を任意に選択することができるので、問い合わせをする者（利用者（Ｂ））に、自己の正確な状態を明確に示すことができるので、自分の好ましいときに連絡等を受けることができる。
また、状態名として「途中参加歓迎」とすれば問い合わせをする者へのメッセージとしても利用者することができる。
また、携帯電話１００と管理サーバ２００とは電子メールで交信すれば、特別な通信設備を設ける必要がないので、低コストで実現させることができる。
【００９３】
なお、上述の説明は「自宅」を例にしたが、図１１の「会社」や「スポーツジム」でも同様である。
状態名は利用の際に特定した場合について説明したが、利用の段階で、状態名について選択されていない場合は、図７のデータベース２５０のファイルで上位に表示されている状態を優先的に表示することとすることもできる。
また、状態名を問い合わせする者に表示するに際し、図１９のように時間設定をすることができるので、状態が時間で決まっている場合、例えば「会社」の１２時から１２時５９分までは、「昼休み」であるときは、１２時から１２時５９分までの間は、状態名が「昼休み」で、それ以外の９時から１７時までは、状態名を「仕事中」とし、状態名「休憩中」のみを利用者がその都度、設定するとしてもよい。
状態名の設定や変更は、本実施の形態の例だけでなく、ボタンやスイッチの切り替えで変更等することができるように構成してもよい。
【００９４】
（プログラム及びコンピュータ読み取り可能な記録媒体等について）
上述の位置情報管理方法、管理サーバ２００の制御方法、携帯電話１００の制御方法等を、それぞれコンピュータに実行させるため位置情報管理プログラム、管理サーバ２００の制御プログラム、携帯電話１００の制御プログラムとすることができる。
また、このような位置情報管理プログラム、管理サーバ２００の制御プログラム及び携帯電話１００の制御プログラムを記録したコンピュータ読み取り可能な記録媒体とすることもできる。
【００９５】
これら位置情報管理プログラム等をコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ　Ｄｉｓｃ　Ｒｅａｄ　Ｏｎｌｙ　Ｍｅｍｏｒｙ）、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｃ−Ｒｅｗｒｉｔｅｒｂｌｅ）、ＤＶＤ（Ｄｉｇｉｔａｌ　Ｖｅｒｓａｔｉｌｅ　Ｄｉｓｃ）などのパッケージメディアのみならず、プログラムが一時的若しくは永続的に格納される半導体メモリ、磁気ディスクあるいは光磁気ディスクなどで実現することができる。
【００９６】
（第２の実施の形態）
図２３は、第２の実施の形態に係る位置情報管理システム２０を示す概略図である。図２４は、図２３の携帯電話３００のソフトウエア構成等を示す概略ブロック図である。
本実施の形態に係る位置情報管理システム２０の多くの構成は、上述の第１の実施の形態の位置情報管理システム１０と同様であるため、同様の構成は同一符号とし、その説明を省略し、相違点を中心に以下説明する。
本実施の形態では、第１の実施の形態と異なり、管理サーバ２００が存在しない。したがって、問い合わせをする者である利用者（Ｂ）は、自己の携帯電話３００（Ｂ）から問い合わせ先の利用者（Ａ）の携帯電話３００（Ａ）に直接、問い合わせる構成となっている。
【００９７】
すなわち、携帯電話３００（Ａ）が、直接、問い合わせをする者の携帯電話３００（Ｂ）から問い合わせを受け、携帯電話３００（Ａ）が自己のゾーン名及び状態名を、自ら直接、携帯電話３００（Ｂ）に送信する。
このため、携帯電話３００（Ｂ）は、直接、携帯電話３００（Ａ）に問い合わせることができるので、別の中継手段を設ける必要が無く、低コストで実現することができる。
【００９８】
また、図２４に示すように、本実施の形態の携帯電話３００のソフトウエア構成は、第１の実施の形態の携帯電話１００と異なり、ゾーン情報生成部３１０、問い合わせ情報処理部３００ｃ、状態名称付与部３２０が設けられている。
これらゾーン情報生成部３１０等は、第１の実施の形態では管理サーバ２００に設けられていたものと同様である。
【００９９】
本発明は、上述の各実施の形態に限定されない。さらに、上述の各実施の形態は、相互に組み合わせて構成するようにしてもよい。
【図面の簡単な説明】
【図１】本発明の実施の形態に係る位置情報管理システムを示す概略図である。
【図２】携帯電話の主なソフト構成等を示す概略ブロック図である。
【図３】図２のＧＰＳ情報生成部の主にハードウエア構成等を示す概略ブロックである。
【図４】コンピュータの主なハードウエア構成等を示す概略図である。
【図５】図２の携帯電話の電話部の主にソフトウエア構成等を示す概略ブロック図である。
【図６】管理サーバの主なソフトウエア構成等を示す概略ブロック図である。
【図７】データベースに格納されているゾーン情報及び状態名称等の一例を示すものである。
【図８】管理サーバの主なハードウエア構成等を示す概略図である。
【図９】新規登録の手順を示すフローチャートである。
【図１０】管理サーバから携帯電話（Ａ）の表示装置に示される画面例を示すものである。
【図１１】利用者（Ａ）が主に携帯電話（Ａ）を所持して移動する場所を示す概略図である。
【図１２】利用者（Ａ）がゾーン情報を設定又は変更する場合を示すフローチャートである。
【図１３】利用者（Ａ）がゾーン情報を設定又は変更する場合を示す他のフローチャートである。
【図１４】ゾーン情報及び状態名称を設定又は変更する場合の画面例である。
【図１５】利用者（Ａ）が状態名称の設定又は変更する場合を示すフローチャートである。
【図１６】利用者（Ａ）が状態名称の設定又は変更する場合を示す他のフローチャートである。
【図１７】利用の手順を示すフローチャートである。
【図１８】利用の手順を示す他のフローチャートである。
【図１９】利用の場合の画面例である。
【図２０】問い合わせのフローチャートである。
【図２１】問い合わせの他のフローチャートである。
【図２２】問い合わせの場合の画面例である。
【図２３】第２の実施の形態に係る位置情報管理システムを示す概略図である。
【図２４】図２３の携帯電話のソフトウエア構成等を示す概略ブロック図である。
【符号の説明】
１０、２０・・・位置情報管理システム
１１・・・インターネット網
１２ａ乃至１２ｄ・・・ＧＰＳ衛星
１３・・・携帯電話基地局
１００・・・携帯電話
１００ｂ、２００ｂ・・・時間管理部
１００ａ・・・ナビゲーションデータ抽出部
１００ｃ・・・送受信装置
１０１、２０１・・・バス
１０２、２０２・・・ＣＰＵ
１０３、２０３・・・ＲＡＭ
１０４、２０４・・・ＲＯＭ
１０５、２０５・・・入力装置
１０６、２０６・・・表示装置
１０７・・・ＧＰＳ装置
１０８・・・電話装置
１０９、２０９・・・時計
１３０、２３０・・・データ制御部
１４０、２４０・・・メール生成部
１５０、２５０・・・データベース
１６０、２６０・・・表示動作部
１７０、２７０・・・入力動作部
１８０、２８０・・・送受信部
２００・・・管理サーバ
２００ｃ・・・問い合わせ情報処理部
２１０・・・ゾーン情報生成部
２２０・・・状態名称付与部
２９０・・・ゾーン名称付与部
【図１】
2004128955.tif 000003
【図２】
2004128955.tif 000004
【図３】
2004128955.tif 000005
【図４】
2004128955.tif 000006
【図５】
2004128955.tif 000007
【図６】
2004128955.tif 000008
【図７】
2004128955.tif 000009
【図８】
2004128955.tif 000010
【図９】
2004128955.tif 000011
【図１０】
2004128955.tif 000012
【図１１】
2004128955.tif 000013
【図１２】
2004128955.tif 000014
【図１３】
2004128955.tif 000015
【図１４】
2004128955.tif 000016
【図１５】
2004128955.tif 000017
【図１６】
2004128955.tif 000018
【図１７】
2004128955.tif 000019
【図１８】
2004128955.tif 000020
【図１９】
2004128955.tif 000021
【図２０】
2004128955.tif 000022
【図２１】
2004128955.tif 000023
【図２２】
2004128955.tif 000024
【図２３】
2004128955.tif 000025
【図２４】
2004128955.tif 000026